(57)【要約】      （修正有）【課題】緊急時でも安全に航行することができる船舶推進装置及び船舶を提供する。【解決手段】船舶本体２に収容されるエンジン４と、エンジン４の回転動力をプロペラ６に伝達するために船舶本体２の外部に配置される動力伝達機構５と、エンジン４を冷却する水を吸水ライン７を介して外部から吸引するポンプ８と、エンジン４を冷却した後の水を外部へ排出する主排水ライン９と、船舶本体２の近傍に位置するように設置され、主排水ライン９の流量を調節可能な流量調節弁１１と、を備え、主排水ライン９は、水中に浸漬するプロペラボス２８に接続されており、プロペラボス２８は、主排水ライン９からの水流により船舶本体２が進行するように開口している船舶推進装置３である。【選択図】図２
2012224096.tif 000002
【特許請求の範囲】
【請求項１】
船舶本体に収容されるエンジンと、
前記エンジンの回転動力をプロペラに伝達するために前記船舶本体の外部に配置される動力伝達機構と、
前記エンジンを冷却する水を吸水ラインを介して外部から吸引するポンプと、
前記エンジンを冷却した後の水を外部へ排出する主排水ラインと、
前記船舶本体の近傍に位置するように設置され、前記主排水ラインの流量を調節可能な流量調節弁と、を備え、
前記主排水ラインは、水中に浸漬する流体排出部に接続されており、
前記流体排出部は、前記主排水ラインからの水流により前記船舶本体が進行するように開口している船舶推進装置。
【請求項２】
前記主排水ラインから分岐する副排水ラインを更に備える請求項１に記載の船舶推進装置。
【請求項３】
請求項１又は２に記載の船舶推進装置を前記船舶本体に搭載した船舶。
【発明の詳細な説明】
【技術分野】
【０００１】
本発明は、船舶本体を推進するための船舶推進装置、および、船舶推進装置を備える船舶に関する。
【背景技術】
【０００２】
一般的に、海や湖などを航行する船舶は、人や物を載せる船舶本体と、当該船舶本体を推進するためのプロペラと、当該プロペラを回転駆動するエンジンとを備えている。また、エンジンの回転動力は、クラッチやトランスミッションなどの動力伝達機構によりプロペラに伝達されている。このような船舶では、エンジンの回転動力が動力伝達機構を介してプロペラに伝達され、プロペラが回転することにより船舶本体を推進しているが、何らかの原因により動力伝達機構が故障すると、エンジンの回転がプロペラに伝達されなくなることがある。例えば、クラッチに油圧を供給する油圧ポンプの不具合によりクラッチに油圧が供給されなくなり、その結果エンジンの回転動力をプロペラに伝達できなくなることがある。
【０００３】
このような故障が生じた場合、従来は緊急の措置として、クラッチを押圧するための緊急ボルトを締め付けることにより、強制的にクラッチを接続し、これによって、エンジンの回転をプロペラに伝達していた（特許文献１及び２参照）。このような措置より、緊急時でもプロペラを回転させ、船舶を推進させることができた。
【０００４】
上記のような緊急ボルトの締め付けによる措置は、クラッチが船舶本体の内部に配置されている構成（船内機）では特に問題が無かった。すなわち、クラッチが船舶本体の内部に配置されている場合は、緊急ボルトの締め付け作業を船舶本体の内部で行うことができるので容易に作業を行うことができた。
【０００５】
しかしながら、上記のような緊急ボルトの締め付けによる措置は、クラッチが船舶本体の外部に配置されている構成（船内外機）の場合には問題が生じていた。このような構成として、従来から例えば特許文献３に記載の船舶が知られている。この特許文献３に記載の船舶では、特許文献３の図１に示すように、クラッチを備えるアウトドライブ装置が船舶本体（船体）の後方外部に配置されている。
【先行技術文献】
【特許文献】
【０００６】
【特許文献１】実開平２−５１１９５号公報
【特許文献２】実開平３−１３０９２４号公報
【特許文献３】特開２０１０−５２６６１号公報
【発明の概要】
【発明が解決しようとする課題】
【０００７】
上記の引用文献３に記載のような船舶では、クラッチが船舶本体の内部に配置されておらず、外部に配置されており、船舶本体の後方に位置しているので、クラッチが船舶本体から離間している。したがって、このような船舶では、クラッチと船舶本体とが離れているので、上記のような緊急ボルトの締め付け作業を行うことが困難であった。また、作業者が船舶本体の外部に出て緊急ボルトの締め付け作業を行うと、海や湖に転落してしまう可能性もあった。したがって、このような船舶では、クラッチの故障などの緊急事態が生じると、それに対する措置をとることが困難であるという問題があった。そのため、緊急時にエンジンの回転動力をプロペラに伝達することができず、船舶を推進させることができないという問題があった。
【０００８】
本発明は、上記問題を解決するためになされたものであって、緊急時でも安全に航行することができる船舶推進装置およびそれを備える船舶の提供を目的とする。
【課題を解決するための手段】
【０００９】
本発明は、上記課題を解決するための船舶推進装置であって、船舶本体に収容されるエンジンと、前記エンジンの回転動力をプロペラに伝達するために前記船舶本体の外部に配置される動力伝達機構と、前記エンジンを冷却する水を吸水ラインを介して外部から吸引するポンプと、前記エンジンを冷却した後の水を外部へ排出する主排水ラインと、前記船舶本体の近傍に位置するように設置され、前記主排水ラインの流量を調節可能な流量調節弁と、を備え、前記主排水ラインは、水中に浸漬する流体排出部に接続されており、前記流体排出部は、前記主排水ラインからの水流により前記船舶本体が進行するように開口している船舶推進装置である。
【００１０】
このような構成によれば、通常時には、エンジンの回転動力を、動力伝達機構を介してプロペラに伝達し、プロペラを回転させることにより船舶本体を推進させることができる。また、ポンプの作動により、エンジンを冷却する水を吸水ラインを通じてエンジンに供給することができるので、エンジンを冷却しながら航行することができる。
【００１１】
一方、動力伝達機構の故障によりエンジンの回転をプロペラに伝達できなくなるような緊急時には、船舶本体の近傍に位置する流量調節弁を操作することにより、主排水ラインに流れる流量を多くする。これにより、主排水ラインを流れる水の圧力を高めることができ、主排水ラインから流体排出部を介して高圧の水を噴出することができる。その結果、噴出された水の圧力により船舶本体を推進させることができる。よって、緊急時には、船舶本体の近傍の流量調節弁を操作するだけで船舶を推進させることができる。
【００１２】
以上より、本発明によれば、通常時にはエンジンを冷却しながら航行することができ、一方、緊急時には、簡易な操作で船舶本体を推進させることができるので、安全な航行をすることができる。
【００１３】
また、上記船舶推進装置は、前記主排水ラインから分岐する副排水ラインを更に備えることが好ましい。
【００１４】
本発明は、上記課題を解決するための船舶であって、上記のいずれかの船舶推進装置を前記船舶本体に搭載した船舶である。
【発明の効果】
【００１５】
本発明の船舶推進装置およびそれを備える船舶によれば、緊急時でも安全に航行することができる。
【図面の簡単な説明】
【００１６】
【図１】本発明の一実施形態に係る船舶推進装置を備える船舶の概略構成図である。
【図２】船舶推進装置の一部を断面で示す概略構成図である。
【図３】船舶推進装置の斜視図である。
【図４】船舶推進装置の概略を示すブロック図である。
【図５】他の実施形態に係る船舶推進装置の油圧回路図である。
【図６】更に他の実施形態に係る船舶推進装置の一部を示す断面図である。
【図７】更に他の実施形態に係る船舶推進装置の一部を示す断面図である。
【図８】更に他の実施形態に係る船舶推進装置の概略構成図である。
【発明を実施するための形態】
【００１７】
以下、本発明の実施形態について添付図面を参照して説明する。図１は、本発明の一実施形態に係る船舶推進装置を備える船舶の概略構成図である。また、図２は、船舶推進装置の一部を断面で示す概略構成図である。また、図３は、船舶推進装置の斜視図である。また、図４は、船舶推進装置の概略を示すブロック図である。
【００１８】
図１に示すように、船舶１は、水中で進行可能な船舶本体２と、船舶本体２に搭載された船舶推進装置３とを備えている。以下では、船舶推進装置３が船舶本体２に取り付けられ、船舶１が水中に浮かんだ状態について説明する。船舶１は、例えば人や物をのせて航行をするボートやクルーザーなどである。船舶本体２は、水中を航行するために流線形に形成された公知の船体であり、船首、船尾、右舷、左舷を備えている。船舶本体２の構成は特に限定されないが、例えば舵や甲板を備える小型クルーザーの船体などを例示できる。
【００１９】
船舶推進装置３は、船舶本体２の船尾に固定されている。また、船舶推進装置３は、船舶本体２に設置された状態で、船舶本体２の内部に収容されたエンジン４と、船舶本体２の外部に配置された動力伝達機構５及びプロペラ６とを備えている。このように、船舶推進装置３は、エンジン４が船舶本体２の内部に位置し、動力伝達機構５及びプロペラ６が船舶本体２の外部に位置する船内外機（インボードエンジン・アウトボードドライブ）である。
【００２０】
また、図２〜図４に示すように、船舶推進装置３は、エンジン４を冷却するための水を外部から吸引してエンジン４へ送る吸水ライン７と、エンジン４を冷却した後の水を外部に排出する主排水ライン９と、主排水ライン９から流量調節弁１１を介して分岐する副排水ライン１０とを備えている。また、船舶推進装置３は、エンジン４の排ガスを排出する排気ライン１２を備えている。
【００２１】
エンジン４は、船舶本体２の船尾板２０（トランサムボード）より前方において船底２１に設置されている。このエンジン４としては、回転動力を発生させるものであれば特に限定されず、一般的な船舶に用いられる公知の発動機を用いることができ、作動すると排ガスを排出する。また、エンジン４は、動力伝達機構５を介してプロペラ６に接続されており、エンジン４の回転動力をプロペラ６に伝達してプロペラ６を回転させることができる。また、エンジン４は、エンジン冷却用の公知のウォータージャケット（図示せず）を内部に備えており、ウォータージャケットに冷却用の水を流すことによりエンジン４を冷却することができる。
【００２２】
動力伝達機構５は、エンジン４の回転動力をプロペラ６に伝達する公知の構成であり、例えば、クラッチやトランスミッションを備える構成を例示できる。クラッチは、一方の軸から他方の軸へ回転を断続して伝達する公知の回転伝達装置である。本実施形態では、クラッチとして、対向する摩擦板の離間距離を油圧の増減によって調節して回転を伝達する公知の摩擦クラッチを用いている。また、トランスミッションは、複数のギヤを介して一方の軸の回転をその回転数（回転速度）を変えて他方の軸へ伝達する公知の変速装置である。このトランスミッションは、減速比（または、ギヤ比）を調節することによりエンジン４の回転を変速してプロペラ６に伝達できるように構成されている。クラッチの接続／切断やトランスミッションの変速は、公知の油圧ポンプを用いて油圧制御をすることにより行うことができる。また、この動力伝達機構５は、船舶本体２の船尾板２０より後方に配置され、船舶本体２から離間しており、アッパーケース３０およびロアケース３１により覆われている。このアッパーケース３０は、船舶１の進行時に水上に浮上し、停船時に水中に浸漬している。また、ロアケース３１は、船舶１の進行時および停船時共に水中に位置している。
【００２３】
プロペラ６は、船舶推進用の公知のプロペラであり、船舶１が水に浮かんだ状態で水中に浸漬しており、船舶本体２の船尾近傍から後方へ延びるプロペラ回転軸２５と、プロペラ回転軸２５を覆う筒状のプロペラボス２８と、プロペラボス２８に放射状に固定された複数の羽根２６とを備えている。プロペラ回転軸２５には、動力伝達機構５を介してエンジン４の回転動力が伝達される。また、プロペラボス２８は、プロペラ回転軸２５の後部を囲むように配置されており、図示しない固定部材によりプロペラ回転軸２５に固定されている。そして、プロペラ回転軸２５の回転によりプロペラボス２８及びこれに固定された羽根２６が回転し、この回転による推進力によって船舶本体２を前進または後進させることができる。また、このプロペラボス２８は、内部が空洞の筒状に形成されており、流体（例えば、水およびガス）が内部を通過できるように構成されている。また、このプロペラボス２８の前端部には主排水ライン９が接続されており、主排水ライン９からの排水・排ガスをプロペラボス２８の内部に導入することができる。また、プロペラボス２８の後端部には開口２７が形成されており、プロペラボス２８に導入された排ガス及び排水を開口２７から外部（水中）に放出できるように構成されている。この開口２７は、後方を向いており、船舶本体２の通常の推進方向（前進）とは逆向きに開口している。このようにして、プロペラボス２８は、排水および排ガスを水中に排出する流体排出部を構成しており、船舶本体２の推進方向と逆方向（後方）に向かって流体（水およびガス）を放出することができる。
【００２４】
排気ライン１２は、一端部がエンジン４に接続され、他端部が主排水ライン９に連通しており、エンジン４からの排ガスを案内して主排水ライン９に導入することができる。
【００２５】
吸水ライン７には、水を吸引・圧送するポンプ８が設置されている。また、吸水ライン７は、水が流通可能なダクトにより形成されており、一端側が船舶本体２の外部に配置され、他端側が船舶本体２の内部に配置されている。また、この吸水ライン７は、一端部が水中に浸漬した状態で開口しており、他端部がエンジン４に接続され、エンジン４のウォータージャケットに連通している。これにより、吸水ライン７は、一端側から吸引した水を他端側に案内してエンジン４のウォータージャケットに送ることができる。
【００２６】
ポンプ８は、吸水ライン７に介在しており、ポンプ８の圧力により水中から水を吸引して、エンジン４に送ることができる。このポンプ８としては、例えば、歯車の噛み合わせを利用して流体を吸引・圧送する公知のギヤポンプや回転するベーンを利用して流体を圧送するベーンポンプなどを用いることができる。このポンプ８の圧力は、船舶１の排水量などに応じて適宜変更可能である。
【００２７】
主排水ライン９は、水が流通可能なダクトにより形成されており、一端側が船舶本体２の内部に配置され、他端側が船舶本体２の外部に配置されている。また、主排水ライン９の一端部は、エンジン４に接続されており、エンジン４のウォータージャケットと連通している。これにより、主排水ライン９は、エンジン４のウォータージャケットを介して吸水ライン７と接続されており、吸水ライン７及びエンジン４のウォータージャケットを通過した水が主排水ライン９に流れるように構成されている。また、主排水ライン９の他端部は、プロペラボス２８の前端部に接続されており、プロペラボス２８の内部と連通している。これにより、主排水ライン９は、エンジン４を冷却した後の水をプロペラボス２８の内部に導入できる。
【００２８】
副排水ライン１０は、水が流通可能なダクトにより形成されており、一端側が船舶本体２の内部に配置され、他端側が船舶本体２の外部に配置されている。また、副排水ライン１０の一端部は、主排水ライン９に接続されており、主排水ライン９を流れる水を分岐させて副排水ライン１０に流すことができるように構成されている。この副排水ライン１０は、船舶本体２の近傍において主排水ライン９から分岐しており、本実施形態では、船舶本体２の内部において分岐している。また、副排水ライン１０の他端部は、外部に向かって開口しており、外部に水を放出することができる。
【００２９】
流量調節弁１１は、主排水ライン９と副排水ライン１０との分岐部分に配置されており、流量調節弁１１の操作により主排水ライン９及び副排水ライン１０の流量を調節することができる。この流量調節弁１１は、船舶本体２の近傍に配置されており、本実施形態では、船舶本体２の内部に配置されている。流量調節弁１１の配置位置は、船舶本体２に搭乗しているユーザーが船舶本体２に搭乗したまま流量調節弁１１の操作をすることができる範囲であることが好ましい。また、流量調節弁１１としては、公知の電磁弁や玉形弁を用いることができる。また、流量調節弁１１は、スイッチのＯＮ／ＯＦＦ切り替えにより開閉できる自動の弁であっても、手作業で開閉する手動の弁であってもよい。
【００３０】
次に、上記のような構成を備える船舶推進装置３を用いて船舶１を推進する方法について説明する。
【００３１】
まず、通常時に船舶１を推進する方法について説明する。通常時には、エンジン４の回転動力が動力伝達機構５を介してプロペラ６に伝達され、プロペラ６が回転することにより船舶本体２が前進又は後進する。また、ポンプ８の作動により、エンジン冷却用の水が水中から吸引され、吸水ライン７を通じてエンジン４のウォータージャケットに圧送される。そして、エンジン４に送られた水によりエンジン４が冷却される。このように、通常時には、エンジン４を冷却しつつ船舶本体２を推進させて航行することができる。エンジン４を冷却した後の水は、ウォータージャケットから主排水ライン９へ送られる。このとき、冷却用の水をポンプ８により圧送しているので、その圧力により、冷却後の水が主排水ライン９へ圧送される。
【００３２】
また、主排水ライン９へ送られた冷却後の水の一部は、流量調節弁１１において副排水ライン１０へ分岐し、副排水ライン１０を流れて、副排水ライン１０の他端部から外部へ放出される。また、冷却後の水の一部は、主排水ライン９をそのまま流れて、主排水ライン９の他端部からプロペラボス２８内に送られ、プロペラボス２８の開口２７から水中へ放出される。
【００３３】
また、エンジン４から排出される排ガスは、排気ライン１２を流れた後、排気ライン１２に接続された主排水ライン９に流れて冷却後の水と合流し、その後、主排水ライン９を通じてプロペラボス２８内に送られ、プロペラボス２８の開口２７から水中へ放出される。
【００３４】
次に、緊急時に船舶１を推進する方法について説明する。緊急時には、例えばクラッチの油圧ポンプの故障などにより動力伝達機構５が機能しなくなり、エンジン４の回転動力を、動力伝達機構５を介してプロペラ６に伝達することができなくなる。
【００３５】
この場合、まず、流量調節弁１１を調節することにより、主排水ライン９及び副排水ライン１０の流量を調節し、主排水ライン９の流量を多くし、一方、副排水ライン１０の流量を少なくする。これにより、主排水ライン９へ送られた冷却後の水の多くは、そのまま主排水ライン９を流れてゆき、その他の少量の水が副排水ライン１０へ分岐して流れてゆく。このときの流量は適宜調節可能であるが、主排水ライン９へ送られる水の圧力を高くするために、全ての排水が主排水ライン９に流れるように調節することが好ましい。
【００３６】
その後、主排水ライン９へ送られた水はプロペラボス２８内に送られ、プロペラボス２８から船舶本体２の後方へ向けて水中に放出される。このとき、冷却用の水をポンプ８により圧送しているので、その圧力により、冷却後の水が主排水ライン９へ圧送され、プロペラボス２８の開口２７から圧力の高い状態で水中に噴出される。そして、プロペラボス２８から水中に噴出される水の圧力により船舶本体２を推進させることができる。このように、主排水ライン９からの水流により船舶本体２を推進させることができるようにプロペラボス２８が開口しているので、水流の勢いにより船舶１を進行させることができる。本実施形態では、プロペラボス２８から船舶本体２の後方に向けて水を噴出しているので、その水の圧力により船舶本体２を前進させることができる。
【００３７】
以上のように、本実施形態に係る船舶推進装置３及び船舶１によれば、通常時には、エンジン４の回転を動力伝達機構５によりプロペラ６に伝達し、船舶本体２を推進させることができる。また、冷却水をポンプ８により吸引してエンジン４に送り、エンジン４を冷却することができる。一方、動力伝達機構５の故障による緊急時には、流量調節弁１１の調節により主排水ライン９の流量を多くして主排水ライン９を流れる水の圧力を高め、プロペラボス２８（流体排出部）を介して高圧の水を水中に噴出する。これにより、噴出される水流の圧力により船舶本体２が進行する。よって、本発明によれば、通常時にはエンジン４を冷却しながら航行することができ、一方、緊急時には、流量調節弁１１の簡易な操作により船舶本体２を推進させることができるので、通常時及び緊急時共に安全な航行をすることができる。
【００３８】
また、主排水ライン９から副排水ライン１０が分岐しているので、排水の一部を副排水ライン１０に流すことにより、主排水ライン９の流量調節を確実に行うことができる。
【００３９】
また、排気ライン１２と主排水ライン９とを接続しているので、エンジン４の排ガスと冷却後の排水とを混合して排出することができる。これにより、排ガスを水中に排出することができ、船舶本体２に搭乗しているユーザーに排ガスがかかることがない。
【００４０】
以上、本発明の一実施形態について説明したが、本発明の具体的な態様は、上記実施形態に限定されるものではない。
【００４１】
例えば、上記実施形態では、プロペラボス２８により流体排出部を構成していたが、この構成に限定されるものではなく、プロペラボス２８とは異なる位置に流体排出部を形成してもよい。例えば、プロペラボス２８より上方の位置に、中空のダクトを配置することにより流体排出部を構成してもよい。このような構成によっても、流体排出部を介してエンジン４の冷却水を水中に噴出し、船舶本体２を推進することができる。
【００４２】
また、上記実施形態では、流量調節弁１１が主排水ライン９と副排水ライン１０との分岐部に設置されていたが、流量調節弁１１の設置位置は特に限定されるものではない。例えば、主排水ライン９と副排水ライン１０との分岐部より下流側に設置されていてもよい。このような構成によっても、主排水ライン９及び副排水ライン１０の流量を調整することができる。
【００４３】
また、緊急時に船舶を推進するための船舶推進装置の他の実施形態について、以下に説明する。図５は、他の実施形態に係る船舶推進装置の油圧回路図である。図５に示すように、この船舶推進装置５０は、クラッチ５１と、クラッチ５１を押圧するための作動油を供給する作動油供給ライン５７と、作動油供給ライン５７を通じて作動油を圧送する油圧ポンプ５６とを備えている。また、船舶推進装置５０は、作動油供給ライン５７から分岐した前進用油圧ライン５４および後進用油圧ライン５５と、前進用油圧ライン５４および後進用油圧ライン５５をそれぞれ開閉する前進用電磁弁５２及び後進用電磁弁５３とを備えている。
【００４４】
クラッチ５１は、エンジンの回転動力をプロペラに伝達する公知の回転伝達装置である。また、作動油供給ライン５７は、油圧ポンプ５６の圧力により作動油を吸引し、前進用油圧ライン５４および後進用油圧ライン５５に圧送することができる。また、前進用油圧ライン５４および後進用油圧ライン５５は、作動油供給ライン５７から送られた作動油をクラッチ５１に供給することができる。前進用油圧ライン５４からクラッチ５１に作動油が供給されると、その油圧によりクラッチ５１が前進側に押圧される。一方、後進用油圧ライン５５からクラッチ５１に作動油が供給されると、その油圧によりクラッチ５１が後進側に押圧される。また、前進用電磁弁５２は、通常時は「開」であり、励磁（通電）により「閉」になるように構成されている。一方、後進用電磁弁５３は、通常時は「閉」であり、励磁（通電）により「開」になるように構成されている。これにより、通常時は、前進用油圧ライン５４が開通して、クラッチ５１が前進側に押圧されており、励磁（通電）により、後進用油圧ライン５５が開通して、クラッチ５１が後進側に押圧される。
【００４５】
このような図５に示す船舶推進装置５０によれば、通常時に船舶を前進させるときは、前進用電磁弁５２及び後進用電磁弁５３に通電せず、前進用油圧ライン５４を開通させ、後進用油圧ライン５５を閉塞する。また、後進させるときは、前進用電磁弁５２及び後進用電磁弁５３に通電し、前進用油圧ライン５４を閉塞して、後進用油圧ライン５５を開通させる。
【００４６】
一方、船舶の故障により、前進用電磁弁５２及び後進用電磁弁５３に通電することができなくなる場合がある。しかしながら、このような緊急の場合でも、前進用電磁弁５２は、通電しない状態で「開」であるので、前進用油圧ライン５４は開通したままである。したがって、前進用油圧ライン５４を介してクラッチ５１に作動油を供給することができ、クラッチ５１を前進側に押圧することができる。よって、故障による緊急の場合でも、クラッチ５１を前進側に押圧することができるので、クラッチ５１を介してエンジンの回転動力をプロペラに伝達することができ、船舶を前進させることができる。
【００４７】
また、図６は、他の実施形態に係る船舶推進装置の一部を示す断面図である。図６の（ａ）は、通常時の船舶推進装置の一部を示しており、（ｂ）は、緊急時の船舶推進装置の一部を示している。図６に示すように、この船舶推進装置６０は、クラッチ６１と、クラッチ６１に係合する係合ピン６２と、係合ピン６２を押圧する押圧カム６３と、押圧カム６３に固定されたワイヤ６４とを備えている。クラッチ６１は、エンジンの回転動力をプロペラに伝達する公知の回転伝達装置であり、エンジンに接続された駆動回転軸６５と、駆動回転軸６５の回転が伝達される従動回転軸６６とを備えている。このクラッチ６１は、通常時は、駆動回転軸６５の回転を、摩擦板を介して従動回転軸６６に伝達している。係合ピン６２は、通常時には駆動回転軸６５のみに係合し、緊急時には従動回転軸６６及び駆動回転軸６５の両者に係合するように構成されている。押圧カム６３は、駆動回転軸６５の軸方向にスライド可能に構成されており、スライドしたときに係合ピン６２を押圧できるように構成されている。また、ワイヤ６４は、一端が押圧カム６３に固定され、他端が船舶本体の内部に配置されている。
【００４８】
このような図６に示す船舶推進装置６０によれば、通常時に船舶を前進させるときは、クラッチ６１の駆動回転軸６５の回転を、摩擦板を介して従動回転軸６６に伝達している。
【００４９】
一方、船舶の故障により、駆動回転軸６５の回転を従動回転軸６６に伝達できなくなる場合がある。例えば、クラッチ６１に作動油を供給している油圧ポンプが故障することにより回転を伝達できなくなる場合がある。そこで、このような緊急の場合は、図６（ｂ）に示すように、船舶に搭乗しているユーザーが船舶本体の内部に配置されたワイヤ６４を引っ張ることにより、押圧カム６３を駆動回転軸６５の軸方向に沿ってスライドさせる。押圧カム６３がスライドすると、押圧カム６３により係合ピン６２が押圧され、従動回転軸６６及び駆動回転軸６５の両者に係合する。そうすると、駆動回転軸６５と従動回転軸６６とが係合ピン６２を介して直接連結される。これにより、駆動回転軸６５の回転を従動回転軸６６に直接伝達することができる。したがって、故障による緊急の場合でも、駆動回転軸６５の回転を従動回転軸６６に伝達できるので、エンジンの回転動力をプロペラに伝達することができ、船舶を前進させることができる。
【００５０】
また、図７は、他の実施形態に係る船舶推進装置の一部を示す断面図である。図７に示すように、この船舶推進装置７０は、クラッチ７１と、クラッチ７１に係合する係合ピン７２と、係合ピン７２を押圧する押圧バネ７３と、押圧バネ７３と反対側から係合ピン７２を押圧する押圧ロッド７４とを備えている。クラッチ７１は、エンジンの回転動力をプロペラに伝達する公知の回転伝達装置であり、エンジンに接続された駆動回転軸７５と、駆動回転軸７５の回転が伝達される従動回転軸７６とを備えている。このクラッチ７１は、通常時は、駆動回転軸７５の回転を、摩擦板を介して従動回転軸７６に伝達している。係合ピン７２は、通常時には駆動回転軸７５のみに係合し、緊急時には従動回転軸７６及び駆動回転軸７５の両者に係合するように構成されている。押圧バネ７３は、駆動回転軸７５の軸方向に係合ピン７２を押圧できるように構成されている。また、押圧ロッド７４は、一端が係合ピン７２を押圧しており、他端には図示しないワイヤにて引き抜き可能な引抜ピン７７が取り付けられている。このワイヤの一端部は船舶本体の内部に配置されている。
【００５１】
このような図７に示す船舶推進装置７０によれば、通常時に船舶を前進させるときは、クラッチ７１の駆動回転軸７５の回転を、摩擦板を介して従動回転軸７６に伝達している。
【００５２】
一方、船舶の故障により、駆動回転軸７５の回転を従動回転軸７６に伝達できなくなる場合がある。例えば、クラッチ７１に作動油を供給している油圧ポンプが故障することにより回転を伝達できなくなる場合がある。そこで、このような緊急の場合は、船舶に搭乗しているユーザーが船舶本体の内部に配置されたワイヤを引っ張り、引抜ピン７７を引き抜くことにより、押圧ロッド７４が押圧バネ７３によってスライドし、押圧ロッド７４よって押圧されていた係合ピン７２が解放される。その結果、この係合ピン７２が、従動回転軸７６及び駆動回転軸７５の両者に係合する。そうすると、駆動回転軸７５と従動回転軸７６とが係合ピン７２を介して直接連結される。これにより、駆動回転軸７５の回転を従動回転軸７６に直接伝達することができる。したがって、故障による緊急の場合でも、駆動回転軸７５の回転を従動回転軸７６に伝達できるので、エンジンの回転動力をプロペラに伝達することができ、船舶を前進させることができる。
【００５３】
また、図８は、他の実施形態に係る船舶推進装置の概略構成図である。図８に示すように、この船舶推進装置８０は、クラッチ８１と、クラッチ８１を押圧するための作動油を供給する作動油供給ライン８２と、作動油供給ライン８２を通じて作動油を圧送するプライミングポンプ８３と、作動油供給ライン８２に設置されたチェックバルブ８４とを備えている。クラッチ８１は、エンジンの回転動力をプロペラに伝達する公知の回転伝達装置である。また、作動油供給ライン８２は、プライミングポンプ８３の圧力により作動油を吸引し、クラッチ８１に供給することができる。プライミングポンプ８３は、手動でレバー８５を往復動させることにより、液体を加圧して送ることができる公知のポンプである。また、このプライミングポンプ８３は、船舶本体の内部に配置されており、ユーザーが船舶本体の内部で操作することができる。チェックバルブ８４は、一方方向にのみ液体を流し、逆流を防ぐことができる公知のバルブであり、クラッチ８１に向けて作動油を流すことができる。
【００５４】
このような図８に示す船舶推進装置８０によれば、通常時には、図示しない油圧ポンプにより作動油をクラッチ８１に供給しているが、例えば油圧ポンプの故障により、クラッチ８１に作動油を供給することができなくなる場合がある。そこで、このような緊急の場合は、船舶本体の内部でユーザーがプライミングポンプ８３を手動で操作することにより、作動油供給ライン８２を介してクラッチ８１に作動油を供給する。これにより、故障による緊急の場合でも、クラッチ８１に作動油を供給することができるので、クラッチ８１を介してエンジンの回転動力をプロペラに伝達することができ、船舶を前進させることができる。
【符号の説明】
【００５５】
１    船舶
２    船舶本体
３    船舶推進装置
４    エンジン
５    動力伝達機構
６    プロペラ
７    吸水ライン
８    ポンプ
９    主排水ライン
１０    副排水ライン
１１    流量調整弁
１２    排気ライン
２０    船尾板
２１    船底
２５    プロペラ回転軸
２６    羽根
２７    開口
２８    プロペラボス
３０    アッパーケース
３１    ロアケース
【図１】
2012224096.tif 000003
【図４】
2012224096.tif 000004
【図５】
2012224096.tif 000005
【図２】
2012224096.tif 000006
【図３】
2012224096.tif 000007
【図６】
2012224096.tif 000008
【図７】
2012224096.tif 000009
【図８】
2012224096.tif 000010